(57)【特許請求の範囲】
【請求項１】
モバイルトランスポンダとの非接触的な通信のためのトランスポンダ通信装置であり、
少なくとも１種類の呼掛け情報を生成するための呼掛け手段であって、活性状態にあり且つ前記トランスポンダ通信装置の入力範囲内に配置される当該モバイルトランスポンダが、それによって、応答情報を生成して送信することを各々に要求する当該呼掛け手段と、
前記入力範囲内に配置されるモバイルトランスポンダに呼掛け情報を送信するための送信手段と、
少なくとも１種類の当該呼掛け情報に応答して、前記入力範囲内におけるモバイルトランスポンダによって生成され送信された応答情報を入力するための入力手段と、
応答情報検出手段であって、前記入力範囲内におけるモバイルトランスポンダの存在が、その支援を受けて、少なくとも１種類の応答情報の出現に応じて検出される応答情報検出手段とを有するトランスポンダ通信装置において、
当該トランスポンダ通信装置が、機能テストを実施するための手段を包含し、当該トランスポンダ通信装置は、当該トランスポンダ通信装置の当該入力範囲内に配置され、当該トランスポンダ通信装置と通信する機能テストトランスポンダを包含し、当該トランスポンダ通信装置の当該入力手段によって入力される機能テスト情報を生成するための手段及び送信するための手段をも包含し、当該トランスポンダ通信装置は、当該入力手段に接続された機能テスト情報検出手段であって、モバイルトランスポンダが当該トランスポンダ通信装置の当該入力範囲内に配置されて、当該機能テストトランスポンダによって送信された当該機能テスト情報を受信して検出する機能テスト情報検出手段を有し、エラー情報が、当該機能テスト情報検出手段の支援を受けて、有効な機能テスト情報から逸脱する情報が検出されるときに生成されるとともに、
前記機能テストトランスポンダは、スイッチング手段を包含し、当該機能テストトランスポンダは、前記スイッチング手段の支援を受けて、起動されたり不活性化されたりし、
タイミングステージが設けられ、起動情報が、当該タイミングステージによって、連続的に生成され、前記機能テストトランスポンダの前記スイッチング手段は、当該タイミングステージの支援を受けて、当該機能テストトランスポンダを起動させるべく、切り換えられるようにした、ことを特徴とするトランスポンダ通信装置。
【請求項２】
前記トランスポンダ通信装置が名目的な機能テスト情報が記憶されるメモリ手段を包含し、当該情報は、機能テスト情報検出手段に与えられ、当該機能テスト情報検出手段は、与えられた名目的な機能テスト情報を前記機能テストトランスポンダによって送信されて受信した機能テスト情報と比較することを特徴とする請求項１に記載のトランスポンダ通信装置。
【請求項３】
機能テスト情報を生成するのに適する前記トランスポンダ通信装置の前記機能テストトランスポンダの手段は、前記機能テストトランスポンダの応答手段によって形成され、当該応答手段は、前記モバイルトランスポンダの応答手段と対応することを特徴とする請求項１に記載のトランスポンダ通信装置。
【請求項４】
前記トランスポンダ通信装置は、交換可能な機能テストトランスポンダを包含することを特徴とする請求項１に記載のトランスポンダ通信装置。
【請求項５】
前記トランスポンダ通信装置は、電話装置を形成すべく電話設備と連結され、当該電話設備を制御するのに適することを特徴とする請求項１に記載のトランスポンダ通信装置。
【発明の詳細な説明】
技術分野
本発明は、モバイルトランスポンダ（mobile transponder）との非接触的な通信のためのトランスポンダ通信装置に関するものであり、活性状態にあり且つ当該トランスポンダ通信装置の入力範囲内に配置される当該モバイルトランスポンダが、それによって、応答情報を生成して送信することを各々に要求される、少なくとも１種類の呼掛け情報（interrogation information）を生成するための呼掛け手段と、当該入力範囲内に配置されるモバイルトランスポンダに呼掛け情報を送信するための送信手段と、少なくとも１種類の当該呼掛け情報に応答して当該入力範囲内におけるモバイルトランスポンダによって生成され送信された応答情報を入力するための入力手段と、当該入力範囲内におけるモバイルトランスポンダの存在が、その支援を受けて、少なくとも１種類の応答情報の出現に応じて検出されるようにした、応答情報検出手段とを有する、当該トランスポンダ通信装置に関する。
本発明は、更には、トランスポンダ通信装置との非接触的な通信のためのトランスポンダに関するものであり、当該トランスポンダは、活性状態にあるとき、トランスポンダ通信装置との通信を可能にし、トランスポンダ通信装置によって送信された少なくとも１種類の呼掛け情報を入力するための入力手段と、入力された少なくとも１種類の呼掛け情報を検出するための呼掛け情報検出手段と、当該呼掛け情報検出手段によって検出された入力呼掛け情報に応答して応答情報を生成すべく当該呼掛け情報検出手段によって制御される応答手段と、当該応答手段によって生成された応答情報を送信するための送信手段とを包含する当該トランスポンダに関するものである。
背景技術
第１段落で規定された形式のそのようなトランスポンダ通信装置及び第２段落で規定された形式のそのようなトランスポンダは、例えば、米国特許出願第５，３４５，２３１号の文献から公知である。前記文献において述べられたように、公知のトランスポンダ通信装置及び公知のトランスポンダは、料金徴収システム、アクセス制御システム、工具交換システムなどでありるようにしたトランスポンダシステムの部分であることが可能である。特には、例えば統合的なトランスポンダ通信装置を有する公衆電話回線の場合のように、当該トランスポンダ通信装置又は当該トランスポンダ通信装置を包含する装置が公衆にアクセス可能にした、当該トランスポンダシステムにおいては、そのような当該トランスポンダシステムの中に包含されるトランスポンダ通信装置の適切な作動順位をチェックし或いはテストすることが必要である。今までのところ、そのようなテストは、このために訓練された有資格者本人が当該トランスポンダ通信装置に関する現場での検査を実施するような方法において実行されるものであり、それは、労力と経費が掛るものである。
発明の開示
本発明の目的は、第１段落で規定された形式のトランスポンダ通信装置及び第２段落で規定された形式のトランスポンダを改良することであり、更には、そのようなトランスポンダ通信装置の適切な作動順位が簡単且つ安価な方法において定期的な間隔でテストされることを可能にした、改良されたトランスポンダ及び改良されたトランスポンダ通信装置を提供することである。更になお、本発明は、特には、この定期的なテストのために必要とされる手段を、簡単なだけでなく、特に確実で、故障を免れて、破損に耐えるようなものとして形成することを目的とする。
前述の目的を達成するため、本発明に従って、第１段落で規定された形式のトランスポンダ通信装置は、当該トランスポンダ通信装置が、機能テストを実施するための手段を包含し、当該トランスポンダ通信装置は、当該トランスポンダ通信装置の当該入力範囲内に配置されて、モバイルトランスポンダが当該トランスポンダ通信装置の当該入力範囲内に配置されるときに当該トランスポンダ通信装置と通信する機能テストトランスポンダを包含し、当該トランスポンダ通信装置の当該入力手段によって入力される機能テスト情報を生成するための手段及び送信するための手段をも包含し、当該トランスポンダ通信装置は、当該入力手段に接続されて、これもまたモバイルトランスポンダが当該トランスポンダ通信装置の当該入力範囲内に配置されるときに当該機能テストトランスポンダによって送信された当該入力機能テスト情報を検出するようにした機能テスト情報検出手段を有し、エラー情報が、当該機能テスト情報検出手段の支援を受けて、有効な機能テスト情報から逸脱する情報が検出されるときに生成されることを特徴とする。本発明の手段によれば、トランスポンダ通信装置の適切な作動順位の定期的なテストが本発明に従って簡単な方法で実行可能であるということが達成される。更になお、本発明の手段は、テストプロセス即ち機能テストの間において、テストされるべきトランスポンダ通信装置から初めにもう１つのモバイルトランスポンダを取り除くことが不要であり、その他の多数のモバイルトランスポンダさえも、本発明に従って、機能テストが影響を受けることなく或いはそれによって不可能にされることなく、当該トランスポンダ通信装置の入力範囲内に配置されることが可能であり、テストプロセスを実行するために機械的に移動される部分が全く必要とされないようにして、低い製造コスト、高い信頼性及び機能の確実性を導くようにした、特には、簡単なだけでなく、非常に確実で、故障を免れて、破損に耐えるような構造を導くものである。
非定常的なデータメモリ、即ち例えばクレジットカードのようなモバイルデータメモリのための読取り装置は、ＷＯ８９／０７８０２Ａ１号の文献から公知であるということが留意されるべきである。この公知の装置は、標準機能において外部モバイルデータメモリを走査する公知の装置の読取りヘッドが、そのような外部モバイルデータメモリの不在において定常的なテストデータメモリに対するアクセスを付与され、当該定常的なテストデータメモリが、モバイルデータメモリと同様な方法で公知の装置の当該読取りヘッドによって走査されるようにして、その適切な作動順位に関して継続的にチェックされテストされる。この公知の装置では、当該読取りヘッドは、モバイルデータメモリ又は非定常的なデータメモリのいずれかを走査することだけが可能である。テストデータメモリがテストの目的のために走査されるためには、公知の装置の中に存在するモバイルデータメモリを初めに取り除くことが必要である。更になお、公知の装置の場合には、当該読取りヘッドとテストデータメモリを互いに走査係合させるべく、当該読取りヘッド又はテストデータメモリのいずれかを機械的に移動させることが必要である。これは、機械的に移動可能である部分を必要として、比較的非常に高い製造コスト、減少した信頼性及び機能の確実性を導くことになる。それに対比して、本発明によるトランスポンダ通信装置は、機能テストトランスポンダと、任意の個数のモバイルトランスポンダとの両者が、それによって機能テストのプロセスに何らかの制限を課することなく、当該トランスポンダ通信装置の入力範囲内において同時に存在することを可能にする。何故なら、その呼掛け手段の支援を受けて、当該トランスポンダ通信装置は、機能テストを実施するための適切な呼掛け情報を生成することが可能であり、当該呼掛け情報によれば、機能テストトランスポンダのみが、機能テスト情報を供給するために呼掛けられることになり、その場合には、当該トランスポンダ通信装置と当該トランスポンダ通信装置の入力範囲内に配置されるその他のすべてのモバイルトランスポンダとの間において通信が全く発生しないからである。
請求項１で記載されるような特性を有する本発明によるトランスポンダ通信装置では、従属請求項２で規定される手段が更に加えられるならば、有益であることが判明している。これは、機能テストトランスポンダによって送信された当該入力機能テスト情報の特に簡単で確実な検出のために有益であることが判明している。
請求項１に記載されたような特性を有する本発明によるトランスポンダ通信装置では、従属請求項３で規定される手段が更に加えられるならば、有益であることもまた判明している。このようにすれば、機能テストトランスポンダのハードウェアインプリメンテーションは、モバイルトランスポンダのハードウェアインプリメンテーションと全く同一であり得るということが達成される。従属請求項３で規定された手段は、従属請求項２に記載されたような特性を有するトランスポンダ通信装置に対しても有益に与えられるということが留意されるべきである。
請求項１に記載されたような特性を有する本発明によるトランスポンダ通信装置では、従属請求項４で規定される手段が更に加えられるならば、有益であることもまた判明している。このようにすれば、機能テストトランスポンダは、容易に使用禁止にされることが可能であり、従って、当該トランスポンダ通信装置とモバイルトランスポンダの間の標準的な通信モードにおける通信品質に対して不都合に影響し得るものではないということが達成される。従属請求項４で規定された手段は、従属請求項２及び３に記載されたような特性を有するトランスポンダ通信装置に対しても有益に与えられるということが留意されるべきである。
請求項４に記載されたような特性を有する本発明によるトランスポンダ通信装置では、スイッチング手段は、例えば、独立した制御手段の作動によって、切り換えられることが可能である。本発明による統合的なトランスポンダ通信装置を包含する電話装置の場合には、これらの制御手段は、例えば、電話装置のいわゆるクレードルスイッチによって形成されることが可能であり、当該スイッチは、受話器が持ち上げられるときに作動され、その結果として、当該機能テストトランスポンダは、受話器が持ち上げられる度に当該スイッチング手段を介して作動させられ、機能テストは、標準モードにおける実際の作動に先立って実行されることが可能であることになる。しかしながら、請求項４に記載されたような特性を有する本発明によるトランスポンダ通信装置では、従属請求項５で規定される手段が更に加えられるならば、非常に有益であることも判明している。結果として、当該機能テストトランスポンダは、定期的な時間間隔で機能テストを実施すべく、自動的に作動させられるということが達成されるのである。
請求項１に記載されたような特性を有する本発明によるトランスポンダ通信装置は、トランスポンダ通信装置に固定して接続される機能テストトランスポンダを有益に有することが可能である。しかしながら、請求項１に記載されたような特性を有する本発明によるトランスポンダ通信装置では、従属請求項６で規定される手段が更に加えられるならば、有益であることもまた判明している。このようにすれば、トランスポンダ通信装置の中に搭載される機能テストトランスポンダは、もう１つの機能テストトランスポンダと容易に取り換えられるということが簡単な方法で達成されるのである。これは、例えば、搭載された機能テストトランスポンダの中に包含されるＥＥＰＲＯＭが、既に多数のアクセスサイクルに曝されているか、或いは機能テスト状態に容易に適応させる目的のために種々の新しい状況に曝されている場合に、実行可能である。従属請求項６で規定された手段は、従属請求項２から５に記載されたような特性を有するトランスポンダ通信装置に対しても有益に与えられることが留意されるべきである。
請求項１に記載されたような特性を有する本発明によるトランスポンダ通信装置では、従属請求項７で規定される手段が更に加えられるならば、非常に有益であることもまた判明している。そのような実施例は、実際の使用のために非常に適切且つ有益であることが判明している。従属請求項７で規定された手段は、従属請求項２から６に記載されたような特性を有するトランスポンダ通信装置に対しても有益に与えられるということが留意されるべきである。
本発明によれば、前述の目的を達成するために、第２段落で規定された形式のトランスポンダは、当該トランスポンダが、機能テストトランスポンダによって形成されるようにし、送信手段によって当該トランスポンダ通信装置に送信される機能テスト情報を生成するための手段を有することを特徴とする。このようにすれば、本発明によるそのようなトランスポンダは、適切なトランスポンダ通信装置における機能テストトランスポンダとして使用され、機能テストトランスポンダとして構想された本発明によるそのようなトランスポンダは、トランスポンダ通信装置の適切な作動順位が非常に簡単な方法でテストされることが達成されるのである。
独立請求項８で記載されるような特性を有する本発明によるトランスポンダでは、従属請求項９で規定される手段が更に加えられるならば、非常に有益であることもまた判明している。これは、機能テストトランスポンダとして使用される本発明によるトランスポンダのハードウェアインプリメンテーションが、モバイルトランスポンダのハードウェアインプリメンテーションと全く同一であり得るという利点を有する。
独立請求項８で記載されたような特性を有する本発明によるトランスポンダでは、従属請求項１０で規定される手段が更に加えられるならば、非常に有益であることもまた判明している。結果として、機能テストトランスポンダとして構想されたトランスポンダは、簡単且つ本質的に任意な方法で作動状態及び非作動状態にされることが簡単な方法で達成されるのである。
本発明の上述の特徴及び更なる特徴は、具体例としてのみ以下で説明される実施例から明白になり、これらの実施例によって解明されることになる。
本発明は、ここでは、本発明がそれに対して限定されるものではない２つの実施例を示している図面を参照して更に詳細に説明されることになる。
【図面の簡単な説明】
第１図は、本発明の第１の実施例に従ってトランスポンダ通信装置と連結された電話設備の電話装置を示している概略的な斜視図であり、当該トランスポンダ通信装置は、当該電話設備を制御すべく適応されていて、機能テストトランスポンダを包含する。
第２図は、第１図よりも大きな縮尺で第１図の電話装置を示す概略的な断面図。
第３図は、第１図及び２図の電話装置のトランスポンダ通信装置の電気回路構成だけでなく、このトランスポンダ通信装置と協働すべく適応されるモバイルトランスポンダの電気回路構成をも概略的に示すブロック図。
第４図は、第３図と同様に、本発明の第２の実施例に従ったトランスポンダ通信装置の回路構成を示す。
発明を実施するための最良の形態
第１図は、壁（図示せず）に取り付けられた電話装置１を示し、当該電話装置は、その背面２によって壁に取り付けられる。電話装置１は、金属ハウジング３を有するものであり、当該金属ハウジングは、背面２に対して傾斜される正面壁部４を含む。キーボード５は、正面壁部４の領域内に配置されるものであり、所望の電話番号が電話装置１の電話設備に入力される。キーボード５は、第２図で概略的に示されるように、プリント回路基板６の上に配置され、電話設備７、即ち電子的な電話設備を担持する。
第１図及び第２図で示される電話装置１では、プリント回路基板６は、これもまた第２図で概略的に示されるように、トランスポンダ通信装置８、即ち電子的なトランスポンダ通信設備をも担持している。トランスポンダ通信装置８は、モバイルトランスポンダ９との非接触的な通信として役立つものである。そのようなモバイルトランスポンダ９との非接触的な通信のために、トランスポンダ通信装置８は、送信コイル１０を包含するコイルステージを含み、当該送信コイルは、本事例では、プリント回路基板６の上に形成されるエッチングされたコイルによって非常に簡単に形成される。
第２図に見られるように、モバイルトランスポンダ９を受け入れるために、電話装置１がプラスチックホルダ１１を含み、当該プラスチックホルダが実質的にＬ字形状であり、その中には、カード形状のモバイルトランスポンダ９が、第２図で示されるような方法で装填される。
以下に、トランスポンダ通信装置８の回路構成を第３図を参照して更に詳細に説明する。
トランスポンダ通信装置８は、多数の手段及び機能がそれによって実現されるマイクロコンピュータ１２を有し、それらの手段及び機能の幾つかだけが以下により詳細に説明される。以下では、マイクロコンピュータ１２によって実現されるそれらの機能及び手段は、本文脈に関連するものだけが説明されるだろう。
マイクロコンピュータ１２によれば、活性状態にあり且つトランスポンダ通信装置８の入力範囲内に配置されるモバイルトランスポンダ９の個別的な選択として役立つようにした選択手段が実現される。当該選択手段１３は、少なくとも１種類の呼掛け情報ＡＦＩを生成するのに適した呼掛け手段１４を含み、それによって、活性状態にあり且つトランスポンダ通信装置８の入力範囲内に配置される各々のモバイルトランスポンダ９は、応答情報ＡＷＩを生成して送信すべく呼び掛けられる。呼掛け手段１４によって生成された少なくとも１種類の呼掛け情報ＡＦＩは、マイクロコンピュータ１２の出力１５に与えられる。
呼掛け手段１４は、第１のタイミングステージ１７によって制御され得る第１の呼掛けステージ１６を包含する。第１のタイミングステージ１７は、例えば１００ミリ秒毎又は１秒毎という一定の時間間隔で第１の種類の制御情報ＳＴＩ１を供給するものであり、第１の呼掛けステージ１６は、当該制御情報によって、起動されるのであり、その後、第１の呼掛けステージ１６は、少なくとも１種類の呼掛け情報ＡＦＩを生成して、それをマイクロコンピュータ１２の出力１５に供給する。
呼掛け手段１４は、第２のタイミングステージ１９によって制御され得る第２の呼掛けステージ１８をも更に包含する。第２のタイミングステージ１９は、例えば１時間毎、１０時間毎又は２０時間毎というこれもまた一定の時間間隔で第２の種類の制御情報ＳＴＩ２を供給し、それによって、当該制御情報は、第２の呼掛けステージ１８に与えられ、その後、第２の呼掛けステージ１８は、その度に、機能テスト呼掛け情報ＢＴＡＦＩを生成して、それをマイクロコンピュータ１２の出力１５に供給する。
呼掛け手段１４によって生成された２種類の呼掛け情報ＡＦＩ及びＢＴＡＦＩの各々は、呼掛け情報ＡＦＩ又はＢＴＡＦＩを入力範囲内に配置されたモバイルトランスポンダ９に送信すべく設けられて適応される送信手段に与えることが可能である。当該送信手段２０は、パルス幅変調器として公知の方法で構築される変調器２１を包含する。しかしながら、代替的に、当該変調器は、位相変調器又は周波数変調器であることも可能である。クロック信号ＴＳは、変調器２１に与えられ、トランスポンダ通信装置８は、この信号の生成のためのクロック信号発生器２２を含む。変調器２１によって変調された呼掛け情報ＡＦＩ又はＢＴＡＦＩは、送信増幅器２３に与えられ、当該送信増幅器は、この増幅器によって増幅された変調呼掛け情報ＡＦＩ又はＢＴＡＦＩをコイルステージ２４に与えられ、当該コイルステージは、前述の送信コイル１０を包含するのであり、当該送信コイルは、モバイルトランスポンダ９の中に包含される送信コイルと公知の方法で誘導的に協働することになる。
トランスポンダ通信装置８は、応答情報ＡＷＩを入力すべく設けられる入力手段２５をも更に包含するものであり、当該応答情報は、トランスポンダ通信装置８によって先に送信された呼掛け情報に応答して、トランスポンダ通信装置８の入力範囲内に配置されたモバイルトランスポンダ９によって生成されて送信される。入力手段２５は、送信コイル１０を含むコイルステージ２４をも包含するものであり、それによって、モバイルトランスポンダ９の送信コイルによって送信された応答情報ＡＷＩは、入力モードで入力されることになる。送信コイル１０によって入力された応答情報ＡＷＩは、入力手段２５の入力増幅器２６に与えられる。入力増幅器２６によって増幅された変調応答情報ＡＷＩは、復調器２７に与えられ、当該復調器は、例えば同期的な復調器であり、それに与えられる標準的な振幅変調応答情報ＡＷＩを復調することが可能である。クロック信号発生器２２からのクロック信号ＴＳは、変調器２１と同じやり方で、復調器２７に与えられる。その上、送信方式に応じて、もう１つの復調器が使用されることも可能である。更になお、クロック信号ＴＳは、マイクロコンピュータ１２の第１の入力２８に与えられ、結果として、クロック信号ＴＳは、マイクロコンピュータ１２の中においても利用可能であるが、これは、本文脈に関係するものではないので、更に詳細には議論されない。復調器２７によって復調された応答情報ＡＷＩは、マイクロコンピュータ１２の第２の入力部２９に与えられる。
マイクロコンピュータ１２は、応答情報検出手段３０も更に形成するものであり、それによって、入力範囲内におけるモバイルトランスポンダ９の存在は、少なくとも１種類の応答情報ＡＷＩの出現に応じて検出される。応答情報検出手段３０は、復調された応答情報ＡＷＩを第２の入力部２９から入力すべく配置される応答情報検出ステージ３１を包含する。モバイルトランスポンダ９によって供給された応答情報ＡＷＩは、応答情報検出ステージ３１によって検出され、その後、トランスポンダ通信装置８は、トランスポンダ通信装置８において周知であるように、当該特定のモバイルトランスポンダ９と通信状態になる。応答情報検出ステージ３１が所定の種類の応答情報ＡＷＩを検出し、トランスポンダ通信装置８が、結果として、それが通信する当該特定のモバイルトランスポンダ９を検出してしまうや否や、応答情報検出ステージ３１は、通信開始情報ＫＳＩを供給する。
通信開始情報ＫＳＩは、データ通信手段３３の制御入力部３２に与えられる。データ通信選択手段の支援を受けたモバイルトランスポンダ９の選択の後、この選択されたトランスポンダ９によるデータ通信は、データ通信手段３３の支援を受けて実施される。そのようなデータ通信を実施するために、データ通信手段３３は、マイクロコンピュータ１２の第１の出力部１５に接続される出力部３４を有し、データ通信手段３３によって供給された情報データＩＤＡは、それを介して、送信手段２０に送信されるべく与えられる。選択されたモバイルトランスポンダ９によって入力された情報データＩＤＡは、入力手段２５からマイクロコンピュータ１２の第２の入力部２９を介してデータ通信手段３３の入力部３５に与えられる。データ通信手段３３は、情報データメモリ３６と協働するものであり、当該メモリの中には、情報データＩＤＡがデータ通信手段３３の支援を受けて書き込まれ、当該メモリからは、情報データＩＤＡがデータ通信手段３３の支援を受けて読み取られ得る。
本事例では、データ通信手段３３は、モバイルトランスポンダ９の選択の後、データ通信手段３３の支援を受けて実施されたこの選択されたトランスポンダ９のデータ通信手段３３によるデータ通信が終了したときに生成されるように成して、通信終了情報ＫＥＩを生成すべく補足的に与えられるものであり、従って、通信終了情報ＫＥＩは、データ通信が完了されたことを示すことになる。
マイクロコンピュータ１２は、不活性化手段３７も更に形成するものであり、通信終了情報ＫＥＩは、それに与えられる。通信終了情報ＫＥＩは、通信終了情報ＫＥＩの入力時に、不活性化手段３７が不活性化情報ＤＡＩを生成して供給し、当該不活性化情報がマイクロコンピュータ１２の第１の出力部１５に供給されるようにした方法に従って、不活性化手段３７を制御することが可能である。不活性化情報ＤＡＩの支援を受け、先行して選択されたモバイルトランスポンダ９は、それが以前に選択されていたものであって、その選択の後にデータ通信処理が実施されて完了されることになったその活性状態から、待機状態即ち待ち状態である非活性状態へとセットされる。
トランスポンダ通信装置８又はそのマイクロコンピュータ１２に関して、応答情報検出手段３０は、機能テスト情報検出ステージ３８をも更に包含することが留意されるべきである。この機能テスト情報検出ステージ３８は、これ以降、更に詳細に説明されることになる。機能テスト情報検出ステージ３８と協働するために、トランスポンダ通信装置８又はそのマイクロコンピュータ１２は、名目的な機能テスト情報がその中に記憶されて、当該情報が機能テスト情報検出手段に与えられるようにした、メモリ手段３９を包含する。機能テスト情報検出ステージ３８は、与えられた名目的な機能テスト情報をこれもまたそれに与えられる機能テスト情報と比較される。上述の機能テスト情報の応用は、これ以降、更に詳細に説明されることになる。
ここで、第３図で示されたトランスポンダ通信装置８の中に設けられたモバイルトランスポンダ９の回路構成が、これ以降、図３を参照して更に詳細に説明されることになる。
モバイルトランスポンダ９は、トランスポンダ通信装置８によって生成され送信されるある少なくとも１種類の呼掛け情報ＡＦＩを入力するための入力手段４０を包含する。入力手段４０は、送信コイル４２を有するコイルステージ４１を包含する。送信コイル４２によって入力された呼掛け情報ＡＦＩは、入力増幅器４３に与えられる。入力増幅器４３によって増幅された情報及びデータは、電源手段４４に与えることが可能であり、当該電源手段は、電源手段４４の出力部４５において供給電圧Ｖを形成すべく、入力された情報及びデータの信号から電力を引き出すものであり、当該電圧は、供給電圧を必要とするモバイルトランスポンダ９のすべての部分に電力を供給する。電源手段４４は、休止ステージ４６に接続されるそれらの出力部４５を有するものであり、当該休止ステージは、電源手段４４によって引き出された電圧Ｖが十分に高いときに休止情報ＲＩを生成することが可能である。これを必要とするモバイルトランスポンダ９の該当部分は、リセット情報ＲＩによって、所定の機能状態にリセットされる。これは、周知の手段に関わるものであり、これらは、説明されないことになる。
入力手段４０の支援を受けて入力された呼掛け情報ＡＦＩ及びその他のデータは、クロック再生ステージ４７にも更に与えられ、クロック信号ＴＳは、当該クロック再生ステージによって、入力された応答情報及びデータから再生され、当該クロック信号は、クロック再生ステージ４７によって供給され、トランスポンダ通信装置８の中におけるクロック信号ＴＳと同期状態にある。
入力手段４０は、パルス幅復調器によって形成される復調器４８を含む。当該復調器は、代替的に、位相復調器又は周波数復調器であることも可能である。再生されたクロック信号ＴＳは、復調器４８に与えられる。復調された呼掛け情報ＡＦＩ及びその他の復調された何らかのデータは、復調器４８からモバイルトランスポンダ９のマイクロコンピュータ５０の第１の入力部４９に与えられる。マイクロコンピュータ５０によれば、多数の手段及び機能が実現されるが、これ以降、それらの幾つかだけが更に詳細に説明されることになる。
マイクロコンピュータ５０によれば、モバイルトランスポンダ９の呼掛け情報検出手段５１が、少なくとも１種類の呼掛け情報ＡＦＩを検出するのに実現される。呼掛け情報ＡＦＩの検出の後、当該呼掛け情報検出手段は、起動情報ＡＫＴＩを生成して供給することが可能になる。
マイクロコンピュータ５０は、応答手段５２をも更に形成するものであり、当該応答手段は、呼掛け情報検出手段５１の支援を受けて検出された呼掛け情報ＡＦＩに対する応答を形成する応答情報ＡＷＩを生成する。従って、当該応答手段は、起動情報ＡＫＴＩが呼掛け情報検出手段５１から起動入力５３に与えられるときに、応答情報ＡＷＩを生成する。応答手段５２によって生成された応答情報ＡＷＩは、マイクロコンピュータ５０の出力部５４に供給され、この出力部５４からモバイルトランスポンダ９の送信手段５５に与えられる。
送信手段５５は、応答手段５２によって生成された応答情報ＡＷＩを送信すべく機能するものであり、そのように送信される。送信手段５５は、変調器５６を包含するものであり、当該変調器に対しては、再生されたクロック信号ＴＳが同様に与えられ、当該変調器によれば、それに与えられた応答情報ＡＷＩ及びそれに与えられたその他のデータに応じて、トランスポンダ通信装置８に対して供給されていた未変調クロック信号ＴＳのいわゆる負荷変調は、モバイルトランスポンダ９の送信コイル４２と、前述の送信コイルに対して誘導的に結合されるトランスポンダ通信装置８の送信コイル１０とを介して与えられ、モバイルトランスポンダ９からトランスポンダ通信装置８へのデータ通信は、この負荷変調によって実施される。
更になお、不活性化情報検出手段５７は、モバイルトランスポンダ９のマイクロコンピュータ５０によって実現されるものであり、当該検出手段は、トランスポンダ通信装置８によって送信された不活性化情報ＤＡＩを検出すべく機能するものであり、そのように検出される。不活性化情報手段５７は、不活性化情報ＤＡＩの各々の検出において、抑止情報ＢＬＩを生成して供給することが可能である。生成された抑止情報ＢＬＩは、応答手段５２の抑止入力部５８に与えられる。応答手段５２は、抑止情報ＢＬＩに反応して、応答手段５２による応答情報ＡＷＩの生成を抑止することになる。
モバイルトランスポンダ９に関しては、モバイルトランスポンダ９が、マイクロコンピュータ５０によって実装されるデータ通信手段５９を包含するものであり、当該データ通信手段は、マイクロコンピュータ５０の第１の入力部４９に接続され、この第１の入力部４９を介して入力手段４０にも接続される入力部６０を有し、マイクロコンピュータ５０の出力部５４に接続され、この出力部５４を介して送信手段５５にも接続される出力部６１をも有することが留意されるべきである。モバイルトランスポンダ９のデータ通信手段５９は、情報データメモリ６２と協働するものであり、当該メモリの中には、情報データＩＤＡがデータ通信手段５９の支援を受けて書き込まれ、当該メモリからは、情報データＩＤＡがデータ通信手段５９の支援を受けて読み取られる。
更になお、モバイルトランスポンダ９に関しては、再生されたクロック信号ＴＳが、マイクロコンピュータ５０の第２の入力部６３を介してマイクロコンピュータ５０に与えられ、結果として、再生されたクロック信号ＴＳは、マイクロコンピュータ５０の中においても利用可能であるが、本事例に関係するものではないので、これに関して更なる引用はなされないということもまた留意されるべきである。
これで、第３図で示されたトランスポンダ通信装置８は、機能テストを実施するための手段を有益に包含するのである。機能テストを実施するためのこれらの手段は、第２のタイミングステージ１９、機能テスト呼掛け情報ＢＴＡＦＩの生成のための第２の呼掛けステージ１８、送信手段２０、入力手段２５、機能テスト検出手段３８、及び機能テスト情報検出手段３８と協働するメモリ手段３９を有し、最後に、機能テストトランスポンダ９’をも更に有する。
機能テストトランスポンダ９’に関しては、そのハードウェアとしてのその回路構成が、モバイルトランスポンダ９の回路構成と全く同一であることが留意されるべきである。このため、機能テストトランスポンダ９’及び機能テストトランスポンダ９’の各部分は、モバイルトランスポンダ９及びモバイルトランスポンダ９の各部分と同じ参照符号を有するものであるが、機能テストトランスポンダ９’及び機能テストトランスポンダ９’の各部分の参照符号には、ダッシュ符号（’）が付けてある。
トランスポンダ通信装置８の機能テストトランスポンダ９’は、第２図において見られるように、ホルダ１１の内部に取外し可能に取り付けられるので、機能テストトランスポンダ９’は、交換可能である。これもまた第２図から明白であるように、機能テストトランスポンダ９’は、トランスポンダ通信装置８の送信コイル１０に直接に隣接して配設されるので、機能テストトランスポンダ９’は、常にトランスポンダ通信装置８の入力範囲内に配置されている。機能テストトランスポンダ９’は、モバイルトランスポンダ９がトランスポンダ通信装置８の入力範囲内に配置されるとき、トランスポンダ通信装置８と通信可能にもする。
機能テストトランスポンダ９’は、機能テスト情報ＢＴＩを生成するための手段及び送信するための手段を包含する。トランスポンダ通信装置８の機能テストトランスポンダ９’の機能テスト情報ＢＴＩを生成するための手段は、モバイルトランスポンダ９の応答手段５２に対応する機能テストトランスポンダ９’の応答手段５２’によって形成される。しかしながら、機能テストトランスポンダ９’の場合には、応答手段５２’は、機能テスト情報ＢＴＩだけを供給するものであり、応答情報ＡＷＩを供給するものではない。このことは、ソフトウェアの支援を受けて容易に達成される。
機能テスト情報ＢＴＩの生成のための手段５２’は、モバイルトランスポンダ９の呼掛け情報検出手段５１に対応する機能テスト呼掛け情報検出手段５１’によって起動される。呼掛け手段１４の第２の呼掛けステージ１８によって生成された機能テスト呼掛け情報ＢＴＡＦＩは、機能テスト呼掛け情報検出手段５１’に与えられる。そのような機能テスト呼掛け情報ＢＴＡＦＩを入力した後、機能テスト呼掛け情報検出手段５１’は、機能テスト情報ＢＴＩを生成すべく手段５２’に起動情報ＡＫＴＩを供給するものであり、その後、手段５２’が機能テスト情報ＢＴＩを生成し、当該機能テスト情報は、入力手段２５を介して機能テスト情報検出手段３８に送信されるべく、マイクロコンピュータ５０’の出力部５４’及び送信手段５５’に与えられる。機能テストトランスポンダ９’によって送信された入力機能テスト情報ＢＴＩもまた、モバイルトランスポンダ９がトランスポンダ通信装置８の入力範囲内に配されるとき、機能テスト情報検出手段３８によって検出されることが可能である。
手段５２’が機能テスト情報ＢＴＩを送信手段５５’及び入力手段２５を介して機能テスト情報検出手段３８に与えるとき、前記手段３８は、それに与えられた機能テスト情報ＢＴＩをメモリ手段３９によってそれに供給された名目的な機能テスト情報と比較する。与えられた機能テスト情報ＢＴＩが有効であると検出されると、機能テスト情報検出手段３８は、妥当性情報ＫＩを供給し、当該妥当性情報は、マイクロコンピュータ１２の更なる出力部６４に与えられ、当該妥当性情報は、更なる出力部６４からトランスポンダ通信装置８の出力部６５に送信される。機能テスト情報検出手段３８が有効な機能テスト情報ＢＴＩから逸脱する情報を検出すると、それらは、マイクロコンピュータ１２の更なる出力部６４にエラー情報ＦＩを供給し、当該エラー情報は、妥当性情報ＫＩと同様にして、トランスポンダ通信装置８の出力部６５に与えられる。機能テスト情報検出手段３８によって有効な機能テスト情報ＢＴＩから逸脱すると判断される情報は、例えば、混乱したか又は誤った機能テスト情報であるが、それは、情報の完全な欠落であることもある。
本事例では、トランスポンダ通信装置８の出力部６５に現れる情報ＫＩ又はＦＩは、第１図及び２図で示された電話装置１の電話設備７を制御するために使用される。機能テスト情報検出手段３８が有効な機能テスト情報ＢＴＩを検出し、その結果として、妥当性情報ＫＩがトランスポンダ通信装置８の出力部６５に現れると、この妥当性情報ＫＩは、電話装置１の電話設備７が使用されることを可能にする。逆に、機能テスト情報検出手段３８が、有効な機能テスト情報ＢＴＩから逸脱する情報のみを検出して、有効な機能テスト情報ＢＴＩを検出しないならば、その場合には、エラー情報ＦＩがトランスポンダ通信装置８の出力部６５に現れることになり、このエラー情報ＦＩは、電話装置１の電話設備７を使用不能にして、その結果、電話使用が禁止されるのである。このことは、電話装置１の光学的な警告手段によって表示されることもまた可能である。更になお、トランスポンダ通信装置８の出力部６５におけるエラー情報ＦＩの出現は、電話装置１が接続される電話ネットワークによって、エラーメッセージ情報を中央の電話サービスステーションに送信すべく有益に使用されるものであり、当該中央の電話サービスステーションは、事前に行われた機能テストによって検出された故障状態がトランスポンダ通信装置８を包含する電話装置１で起こったことを自動的に通報されることになる。そのような機能テストは、自己検査とも呼ばれる。
第３図で示されたようなトランスポンダ通信装置８では、そのような機能テスト即ち自己検査は、例えば１０時間毎という所定の時間間隔の後に自動的に起動される。当該機能テストは、制御情報ＳＴＩ２を１０時間毎に呼掛け手段１３の第２の呼掛けステージ１８に供給するようにした、第２のタイミングステージ１９によって起動される。続いて、第２の呼掛けステージ１８は、機能テスト呼掛け情報ＢＴＡＦＩを生成し、当該機能テスト呼掛け情報は、送信手段２０及び入力手段４０’を介して機能テストトランスポンダ９’に送信される。生成された機能テスト呼掛け情報ＢＴＡＦＩは、これもまたトランスポンダ通信装置８の入力範囲内に配置されるモバイルトランスポンダ９にも、送信手段２０及び入力手段４０を介して送信されるが、このモバイルトランスポンダ９においては何の効果も持たないことが自明である。機能テストトランスポンダ９’では、この機能テスト呼掛け情報ＢＴＡＦＩは、機能テスト呼掛け情報検出手段５１’によって検出されるものであり、その結果、機能テスト情報を生成するための手段５２’が、そのような機能テスト情報ＢＴＩを生成するのである。生成された機能テスト呼掛け情報ＢＴＡＦＩは、続いて、機能テストトランスポンダ９’の送信手段５５’及び入力手段２５を介して機能テスト情報検出手段３８に送信されるものであり、当該検出手段が、検出を実施した後に、妥当性情報ＫＩ又はエラー情報ＦＩのいずれかを供給することになる。
これまでに説明された電話装置１に関しては、即ち、どちらかと言えば、この電話装置１の中に包含されたトランスポンダ通信装置８に関しては、トランスポンダ通信装置８の適切な作業順位が簡単な方法で定期的にテストされるという有益な方法で達成される。更になお、詳細には、テストプロセス即ち機能テストの間において、テストされるべきトランスポンダ通信装置８から初めに１つのモバイルトランスポンダ９を取り除くことが不要であり、その他の多数のモバイルトランスポンダ９さえも、機能テストが影響を受けることなく或いはそれによって不可能にされることなく、本発明に従う当該トランスポンダ通信装置８の入力範囲内に配されることが可能であるようにして、非常に確実で、故障を免れて、破損に耐える簡単な構造が得られることが達成される。更になお、テストプロセスを実行するために電話装置１即ちそのトランスポンダ通信装置８において機械的に移動される部分が全く必要とされないということが特に有益であり、それは、電話装置１の低い製造コスト、電話装置１及びその中に包含されるトランスポンダ通信装置８の高い信頼性及び機能の確実性という利点を有するものである。
第４図は、本発明の第２の実施例に従うトランスポンダ通信装置８を示している。このトランスポンダ通信装置８の回路構成は、第３図で示された本発明の第１の実施例によるトランスポンダ通信装置８の回路構成と本質的に一致するものである。しかしながら、第４図で示されたトランスポンダ通信装置では、機能テストトランスポンダ９’は、スイッチング手段６６’を包含するものであり、機能テストトランスポンダ９’は、それによって、起動されたり不活性化される。スイッチング手段６６’は、コイルステージ４１’と直列に配置されて概略的に示された２つの電子的なスイッチ６７’及び６８’を有し、それらのスイッチは、コイルステージ４１’と機能テストトランスポンダ９’のその他の回路部分との間の接続が遮断されることを可能にする。２つの電子的なスイッチ６７’及び６８’は、制御ステージ６９によって制御され、当該制御ステージもまた、第２のタイミングステージ１９によって制御される。既に述べたように、タイミングステージ１９は、一定の時間間隔で制御情報ＳＴＩ２を生成することが可能であり、当該制御情報によって、機能テストトランスポンダ９’のスイッチング手段６６’即ち２つのスイッチ６７’及び６８’は、機能テストトランスポンダ９’を使用不能にすべく、切り換えられることが可能なのである。
機能テストトランスポンダ９’のスイッチング手段６６’は、必ずしもトランスポンダ通信装置によって制御可能なものである必要はなく、代替的に、トランスポンダ通信装置を包含する何らかの装置によって、例えばトランスポンダ通信装置を包含する電話装置によって、制御され得るものであることも可能であるということが留意されるべきである。
第４図で示されたトランスポンダ通信装置８では、トランスポンダ通信装置８それ自体と機能テストトランスポンダ９’は、共通のプリント回路基板の上に有益に収容されるものであり、コイルステージ６９と２つの電子的なスイッチ６７’及び６８’との間の導電的な接続は、導体トラックによって簡単に形成されることが可能である。
スイッチング手段６６’を設ければ、機能テストトランスポンダ９’は、容易に使用不能にされ、従って、トランスポンダ通信装置８とモバイルトランスポンダ９の間の標準的な通信モードにおける通信品質に不都合に影響し得ないということが簡単に達成されるのである。このもう１つの利点は、機能テストトランスポンダ９’が、機能テストを実施すべく、定期的な時間間隔で自動的に起動されるということである。
本発明は、電話装置の中に包含されたトランスポンダ通信装置に関連するようにした、これまでに説明された２つの実施例に限定されるものではない。本発明に係る手段は、その他の装置、器具又はシステムの一部を形成するようにしたトランスポンダ通信装置においてもまた、有益に使用されることが可能なのである。２つの実施例の説明では、トランスポンダの個別的な選択は、詳細に説明されるものではなかったので、ここで、トランスポンダ通信装置とトランスポンダとの間の協働の間にいわゆる衝突防止プロトコルを実行して、各々のトランスポンダが個別的に選択され、即ち、本事例では機能テストトランスポンダをも選択され得るようにすることは、周知であり慣習的であるということが述べられるものとする。
【図１】
0004190587.tif 000002
【図２】
0004190587.tif 000003
【図３】
0004190587.tif 000004
【図４】
0004190587.tif 000005